(57)【要約】【課題】モーター外径が大きくなる場合でも、ファン部分の通風面積を従来よりも大きく確保することができ、室内機の大型化を抑制することができる空気調和機の室内機を得ることを目的とする。【解決手段】室内機４０のファン駆動用のモーター１０はベルトドライブ機構３０によって２つのファン４と接続され、ファン４のボス９の外径はモーター１０の本体の外径よりも小さくなっている。モーター１０の回転軸１７と直交する平面において、モーター１０はファン４と重ならない位置に配置されている。回転軸１７方向におけるモーター１０とファン４との配置関係においては、モーター１０の本体の少なくとも一部がファン４の羽根と重なる位置に配置されている。室内機４０は、ベルトドライブ機構３０の帯電を抑制する空気イオン発生器６０をさらに備えており、空気イオン発生器６０は、回転軸１７と直交する平面においてファン４と重ならない位置に配置されている。【選択図】図３
2015014432.tif 000002
【特許請求の範囲】
【請求項１】
吸込口と吹出口が形成されたケーシングと、
前記ケーシング内の前記吸込口の下流側に設けられた軸流型又は斜流型の複数のファンと、
複数の前記ファンを駆動する少なくとも１つのファン駆動用モーターと、
前記ケーシング内の前記ファンの下流側であって、前記吹出口の上流側に設けられ、前記ファンから吹き出された空気と冷媒とが熱交換する熱交換器と、
を備え、
前記ファン駆動用モーターは、当該ファン駆動用モーターの駆動力を前記ファンに伝達するベルトを有するベルトドライブ機構によって、当該ファン駆動用モーターよりも多数の前記ファンと接続され、
前記ベルトドライブ機構で接続された前記ファン駆動用モーター及び前記ファンは、
前記ファン駆動用モーターの本体の外径よりも前記ファンのボスの外径が小さくなっており、
前記ファン駆動用モーターの回転軸と直交する平面において、前記ファン駆動用モーターが前記ファンと重ならない位置に配置されており、
前記ファン駆動用モーターの回転軸方向における前記ファン駆動用モーターと前記ファンとの配置関係においては、前記ファン駆動用モーターの本体の少なくとも一部が前記ファンの羽根と重なる位置に配置されており、
前記ファン駆動用モーターの回転軸と直交する平面において、前記ファン駆動用モーターが隣接する前記ファンの回転軸同士を接続した仮想直線と重ならない位置に配置されており、
前記ベルトドライブ機構の帯電を抑制する空気イオンを発生させる空気イオン発生器をさらに備え、
前記空気イオン発生器は、前記ファン駆動用モーターの回転軸と直交する平面において前記ファンと重ならない位置に配置されていることを特徴とする空気調和機の室内機。
【請求項２】
吸込口と吹出口が形成されたケーシングと、
前記ケーシング内の前記吸込口の下流側に設けられた軸流型又は斜流型の複数のファンと、
複数の前記ファンを駆動する少なくとも１つのファン駆動用モーターと、
前記ケーシング内の前記ファンの下流側であって、前記吹出口の上流側に設けられ、前記ファンから吹き出された空気と冷媒とが熱交換する熱交換器と、
を備え、
前記ファン駆動用モーターは、当該ファン駆動用モーターの駆動力を前記ファンに伝達するベルトを有するベルトドライブ機構によって、当該ファン駆動用モーターよりも多数の前記ファンと接続され、
前記ベルトドライブ機構で接続された前記ファン駆動用モーター及び前記ファンは、
前記ファン駆動用モーターの本体の外径よりも前記ファンのボスの外径が小さくなっており、
前記ファン駆動用モーターの回転軸と直交する平面において、前記ファン駆動用モーターが前記ファンと重ならない位置に配置されており、
前記ファン駆動用モーターの回転軸方向における前記ファン駆動用モーターと前記ファンとの配置関係においては、前記ファン駆動用モーターの本体の少なくとも一部が前記ファンの羽根と重なる位置に配置されており、
前記ファン駆動用モーターの回転軸と直交する平面において、前記ファン駆動用モーターが隣接する前記ファンの回転軸同士を接続した仮想直線と重ならない位置に配置されており、
前記ベルトは歯付きベルトであることを特徴とする空気調和機の室内機。
【請求項３】
吸込口と吹出口が形成されたケーシングと、
前記ケーシング内の前記吸込口の下流側に設けられた軸流型又は斜流型の複数のファンと、
複数の前記ファンを駆動する少なくとも１つのファン駆動用モーターと、
前記ケーシング内の前記ファンの下流側であって、前記吹出口の上流側に設けられ、前記ファンから吹き出された空気と冷媒とが熱交換する熱交換器と、
を備え、
前記ファン駆動用モーターは、当該ファン駆動用モーターの駆動力を前記ファンに伝達するベルトを有するベルトドライブ機構によって、当該ファン駆動用モーターよりも多数の前記ファンと接続され、
前記ベルトドライブ機構で接続された前記ファン駆動用モーター及び前記ファンは、
前記ファン駆動用モーターの本体の外径よりも前記ファンのボスの外径が小さくなっており、
前記ファン駆動用モーターの回転軸と直交する平面において、前記ファン駆動用モーターが前記ファンと重ならない位置に配置されており、
前記ファン駆動用モーターの回転軸方向における前記ファン駆動用モーターと前記ファンとの配置関係においては、前記ファン駆動用モーターの本体の少なくとも一部が前記ファンの羽根と重なる位置に配置されており、
前記ファン駆動用モーターの回転軸と直交する平面において、前記ファン駆動用モーターが隣接する前記ファンの回転軸同士を接続した仮想直線と重ならない位置に配置されており、
前記ケーシング内の風路のうち前記熱交換器の上流側に設けられ、複数の前記ファン、前記ファン駆動用モーター及び前記ベルトドライブ機構が取り付けられるとともに複数の前記ファンに対応した複数の貫通穴を備えたベース板をさらに備え、
前記ベース板の少なくとも表面は、前記ベルトよりも帯電しやすい材料で形成されていることを特徴とする空気調和機の室内機。
【請求項４】
前記ベルトはゴム又はウレタンで形成されており、
前記ベース板はビニル、シリコン又はテフロン（登録商標）で形成されていることを特徴とする請求項３に記載の空気調和機の室内機。
【請求項５】
吸込口と吹出口が形成されたケーシングと、
前記ケーシング内の前記吸込口の下流側に設けられた軸流型又は斜流型の複数のファンと、
複数の前記ファンを駆動する少なくとも１つのファン駆動用モーターと、
前記ケーシング内の前記ファンの下流側であって、前記吹出口の上流側に設けられ、前記ファンから吹き出された空気と冷媒とが熱交換する熱交換器と、
を備え、
前記ファン駆動用モーターは、当該ファン駆動用モーターの駆動力を前記ファンに伝達するベルト及びプーリを有するベルトドライブ機構によって、当該ファン駆動用モーターよりも多数の前記ファンと接続され、
前記ベルトドライブ機構で接続された前記ファン駆動用モーター及び前記ファンは、
前記ファン駆動用モーターの本体の外径よりも前記ファンのボスの外径が小さくなっており、
前記ファン駆動用モーターの回転軸と直交する平面において、前記ファン駆動用モーターが前記ファンと重ならない位置に配置されており、
前記ファン駆動用モーターの回転軸方向における前記ファン駆動用モーターと前記ファンとの配置関係においては、前記ファン駆動用モーターの本体の少なくとも一部が前記ファンの羽根と重なる位置に配置されており、
前記ファン駆動用モーターの回転軸と直交する平面において、前記ファン駆動用モーターが隣接する前記ファンの回転軸同士を接続した仮想直線と重ならない位置に配置されており、
前記ベルト及びプーリは導電性を有し、かつ接地されていることを特徴とする空気調和機の室内機。
【請求項６】
吸込口と吹出口が形成されたケーシングと、
前記ケーシング内の前記吸込口の下流側に設けられた軸流型又は斜流型の複数のファンと、
複数の前記ファンを駆動する少なくとも１つのファン駆動用モーターと、
前記ケーシング内の前記ファンの下流側であって、前記吹出口の上流側に設けられ、前記ファンから吹き出された空気と冷媒とが熱交換する熱交換器と、
を備え、
前記ファン駆動用モーターは、当該ファン駆動用モーターの駆動力を前記ファンに伝達するベルトを有するベルトドライブ機構によって、当該ファン駆動用モーターよりも多数の前記ファンと接続され、
前記ベルトドライブ機構で接続された前記ファン駆動用モーター及び前記ファンは、
前記ファン駆動用モーターの本体の外径よりも前記ファンのボスの外径が小さくなっており、
前記ファン駆動用モーターの回転軸と直交する平面において、前記ファン駆動用モーターが前記ファンと重ならない位置に配置されており、
前記ファン駆動用モーターの回転軸方向における前記ファン駆動用モーターと前記ファンとの配置関係においては、前記ファン駆動用モーターの本体の少なくとも一部が前記ファンの羽根と重なる位置に配置されており、
前記ファン駆動用モーターの回転軸と直交する平面において、前記ファン駆動用モーターが隣接する前記ファンの回転軸同士を接続した仮想直線と重ならない位置に配置されており、
前記ベルトを清掃するベルト清掃機構をさらに備えることを特徴とする空気調和機の室内機。
【請求項７】
前記ベルト清掃機構は、前記ベルトに付着した異物を除去するブラシと、除去された前記異物を捕捉するダストボックスと、を有することを特徴とする請求項６に記載の空気調和機の室内機。
【請求項８】
前記ブラシは、前記ベルトに接触する第１の位置と、前記ベルトから離れた第２の位置と、を少なくともとり得ることを特徴とする請求項７に記載の空気調和機の室内機。
【請求項９】
前記ベルト清掃機構は、前記ベルトに付着した異物を絡め取るブラシが外周面上に設けられた異物取りプーリと、前記ブラシに接触し、前記ブラシで絡め取られた前記異物を前記ブラシから除去する別のブラシと、除去された前記異物を捕捉するダストボックスと、を有することを特徴とする請求項６に記載の空気調和機の室内機。
【請求項１０】
前記異物取りプーリは、前記ベルトに接触する第１の位置と、前記ベルトから離れた第２の位置と、を少なくともとり得ることを特徴とする請求項９に記載の空気調和機の室内機。
【請求項１１】
吸込口と吹出口が形成されたケーシングと、
前記ケーシング内の前記吸込口の下流側に設けられた軸流型又は斜流型の複数のファンと、
複数の前記ファンを駆動する少なくとも１つのファン駆動用モーターと、
前記ケーシング内の前記ファンの下流側であって、前記吹出口の上流側に設けられ、前記ファンから吹き出された空気と冷媒とが熱交換する熱交換器と、
を備え、
前記ファン駆動用モーターは、当該ファン駆動用モーターの駆動力を前記ファンに伝達するベルトを有するベルトドライブ機構によって、当該ファン駆動用モーターよりも多数の前記ファンと接続され、
前記ベルトドライブ機構で接続された前記ファン駆動用モーター及び前記ファンは、
前記ファン駆動用モーターの本体の外径よりも前記ファンのボスの外径が小さくなっており、
前記ファン駆動用モーターの回転軸と直交する平面において、前記ファン駆動用モーターが前記ファンと重ならない位置に配置されており、
前記ファン駆動用モーターの回転軸方向における前記ファン駆動用モーターと前記ファンとの配置関係においては、前記ファン駆動用モーターの本体の少なくとも一部が前記ファンの羽根と重なる位置に配置されており、
前記ファン駆動用モーターの回転軸と直交する平面において、前記ファン駆動用モーターが隣接する前記ファンの回転軸同士を接続した仮想直線と重ならない位置に配置されており、
前記ベルトに向けて設置された静電容量センサと、前記ベルトを前記静電容量センサとの間に挟んで設置された補助電極と、をさらに備えることを特徴とする空気調和機の室内機。
【請求項１２】
吸込口と吹出口が形成されたケーシングと、
前記ケーシング内の前記吸込口の下流側に設けられた軸流型又は斜流型の複数のファンと、
複数の前記ファンを駆動する少なくとも１つのファン駆動用モーターと、
前記ケーシング内の前記ファンの下流側であって、前記吹出口の上流側に設けられ、前記ファンから吹き出された空気と冷媒とが熱交換する熱交換器と、
を備え、
前記ファン駆動用モーターは、当該ファン駆動用モーターの駆動力を前記ファンに伝達するベルトを有するベルトドライブ機構によって、当該ファン駆動用モーターよりも多数の前記ファンと接続され、
前記ベルトドライブ機構で接続された前記ファン駆動用モーター及び前記ファンは、
前記ファン駆動用モーターの本体の外径よりも前記ファンのボスの外径が小さくなっており、
前記ファン駆動用モーターの回転軸と直交する平面において、前記ファン駆動用モーターが前記ファンと重ならない位置に配置されており、
前記ファン駆動用モーターの回転軸方向における前記ファン駆動用モーターと前記ファンとの配置関係においては、前記ファン駆動用モーターの本体の少なくとも一部が前記ファンの羽根と重なる位置に配置されており、
前記ファン駆動用モーターの回転軸と直交する平面において、前記ファン駆動用モーターが隣接する前記ファンの回転軸同士を接続した仮想直線と重ならない位置に配置されており、
前記ベルトの走行距離を算出する走行距離算出手段と、前記走行距離に関する情報をユーザーに報知する情報報知手段と、をさらに備えることを特徴とする空気調和機の室内機。
【請求項１３】
前記ベルトドライブ機構のプーリの材質は、アルミニウムを母材とした合金鋳物であり、アルマイト処理、硬質アルマイト処理、又は無電解ニッケルめっきが施されていることを特徴とする請求項１〜請求項１２のいずれか一項に記載の空気調和機の室内機。
【請求項１４】
前記ベルトドライブ機構のプーリの材質は、鉄を母材とした合金鋳物であり、無電解ニッケルめっき、クロムめっき、フラッシュ、硬質クロムめっき、クロメート処理、リン酸マンガン被膜、リン酸亜鉛被膜、塩浴軟窒化、ガス軟窒化、又は焼入れが施されていることを特徴とする請求項１〜請求項１２のいずれか一項に記載の空気調和機の室内機。
【請求項１５】
請求項１〜請求項１４のいずれか一項に記載の室内機を備えたことを特徴とする空気調和機。
【発明の詳細な説明】
【技術分野】
【０００１】
本発明は、ファンと熱交換器とをケーシング内に収納した空気調和機の室内機、及びこの室内機を備えた空気調和機に関するものである。
【背景技術】
【０００２】
従来から、ファンと熱交換器とをケーシング内に収納した空気調和機の室内機が存在する。そのようなものとして、「上部に吸込口が形成され、下部に吹出口が形成されたケーシングと、ケーシング内の吸込口の下流側に設けられた軸流型又は斜流型のファンと、ケーシング内のファンの下流側であって、吹出口の上流側に設けられ、ファンから吹き出された空気と冷媒とが熱交換する熱交換器と、を備えた空気調和機の室内機」というものが提案されている（例えば、特許文献１参照）。この空気調和機の室内機は、ファンが熱交換器の上流側に設けられているため、ファンに流入する空気の流れは乱れの少ないものとなり、このため、ファンから発生する騒音を抑制することができる。
【先行技術文献】
【特許文献】
【０００３】
【特許文献１】国際公開第２０１０／０８９９２０号
【特許文献２】実公平１−１３９３７号公報
【発明の概要】
【発明が解決しようとする課題】
【０００４】
特許文献１のような軸流型又は斜流型のファンを有する空気調和機は、ファンごとにファン駆動用モーターを備え、ファンのボスにファン駆動用モーターが直結された構成となっている。つまり、特許文献１のような軸流型又は斜流型のファンを有する空気調和機は、平面視でファンの中心部にファン駆動用モーターが配置された構成となっている。このため、ファン部分の通風面積は、およそファンのボス又はモーター外径の大きい方とファンの外径（≒ベルマウス内径）とで挟まれたドーナツ状の円環領域となる。この通風面積を大きくすることで、同一風量時の空力騒音を低減するとともに通風速度（動圧損失）を低下させ、消費電力を削減できる高い送風性能のファンを構成することができる。
【０００５】
しかしながら、近年、室内機の省エネ性や高能力化のために、送風量を増大させる設計がしばしば行われる。さらに、近年、強力磁石の材料であるレアアース使用量削減のため、モーターの小型化が困難な傾向にある。つまり、近年はファン駆動用モーターが大型化してしまう傾向にある。このため、特許文献１のような軸流型又は斜流型のファンを有する空気調和機は、ファン駆動用モーターの外径が大きくなってしまい、ファン部分の通風面積を拡大することが困難となり、ファン性能を改善するのが困難であるという課題があった。また、特許文献１のような軸流型又は斜流型のファンを有する空気調和機は、ファン駆動用モーターの大型化に伴って、空気調和機の室内機も大型化してしまうという課題もあった。
【０００６】
本発明は、上述のような課題を解決するためになされたものであり、モーター外径が大きくなる場合でも、ファン部分の通風面積を従来よりも大きく確保することができ、室内機の大型化を抑制することができる空気調和機の室内機、及びこの室内機を備えた空気調和機を得ることを目的とする。
【課題を解決するための手段】
【０００７】
本発明に係る空気調和機の室内機は、吸込口と吹出口が形成されたケーシングと、前記ケーシング内の前記吸込口の下流側に設けられた軸流型又は斜流型の複数のファンと、複数の前記ファンを駆動する少なくとも１つのファン駆動用モーターと、前記ケーシング内の前記ファンの下流側であって、前記吹出口の上流側に設けられ、前記ファンから吹き出された空気と冷媒とが熱交換する熱交換器と、を備え、前記ファン駆動用モーターは、当該ファン駆動用モーターの駆動力を前記ファンに伝達するベルトを有するベルトドライブ機構によって、当該ファン駆動用モーターよりも多数の前記ファンと接続され、前記ベルトドライブ機構で接続された前記ファン駆動用モーター及び前記ファンは、前記ファン駆動用モーターの本体の外径よりも前記ファンのボスの外径が小さくなっており、前記ファン駆動用モーターの回転軸と直交する平面において、前記ファン駆動用モーターが前記ファンと重ならない位置に配置されており、前記ファン駆動用モーターの回転軸方向における前記ファン駆動用モーターと前記ファンとの配置関係においては、前記ファン駆動用モーターの本体の少なくとも一部が前記ファンの羽根と重なる位置に配置されており、前記ファン駆動用モーターの回転軸と直交する平面において、前記ファン駆動用モーターが隣接する前記ファンの回転軸同士を接続した仮想直線と重ならない位置に配置されており、前記ベルトドライブ機構の帯電を抑制する空気イオンを発生させる空気イオン発生器をさらに備え、前記空気イオン発生器は、前記ファン駆動用モーターの回転軸と直交する平面において前記ファンと重ならない位置に配置されていることを特徴とするものである。
【０００８】
本発明に係る空気調和機は、本発明に係る空気調和機の室内機を備えたものである。
【発明の効果】
【０００９】
本発明においては、ファン駆動用モーターが、当該ファン駆動用モーターの駆動力をファンに伝達するベルトを有するベルトドライブ機構によって、当該ファン駆動用モーターよりも多数のファンと接続されている。そして、ベルトドライブ機構で接続されたファン駆動用モーター及びファンは、ファン駆動用モーターの本体の外径よりもファンのボスの外径が小さくなっており、ファン駆動用モーターの回転軸と直交する平面において、ファン駆動用モーターがファンと重ならない位置に配置されている。このため、本発明は、モーター外径が大きくなる場合でも、ファン部分の通風面積を従来よりも大きく確保することができる。したがって、本発明は、同一風量時の空力騒音を低減するとともに通風速度（動圧損失）を低下させ、消費電力を削減できる。
【００１０】
さらに、本発明においては、ベルトドライブ機構で接続されたファン駆動用モーター及びファンは、ファン駆動用モーターの回転軸方向におけるファン駆動用モーターとファンとの配置関係において、ファン駆動用モーターの本体の少なくとも一部が前記ファンの羽根と重なる位置に配置されている。このため、本発明は、空気調和機の室内機におけるファン駆動用モーターの回転軸方向の寸法をコンパクト化することもできる。
【図面の簡単な説明】
【００１１】
【図１】本発明の実施の形態１に係る空気調和機の室内機の一例を示す主要部品の縦断面図である。
【図２】本発明の実施の形態１に係る空気調和機の室内機のファンユニットを示す斜視図である。
【図３】本発明の実施の形態１に係る空気調和機の室内機のファンユニットを示す底面図である。
【図４】本発明の実施の形態１に係る空気調和機の室内機のファンユニットにおけるベルトドライブ機構の一部を拡大して示す図である。
【図５】本発明の実施の形態２に係る空気調和機の室内機のファンユニットを示す底面図である。
【図６】図５に示すファンユニットの一部を拡大して示す図である。
【図７】本発明の実施の形態２に係る空気調和機の室内機のファンユニットの変形例を示す底面図である。
【図８】図７に示すファンユニットの一部を拡大して示す図である。
【図９】本発明の実施の形態３に係る空気調和機の室内機のファンユニットを示す底面図である。
【図１０】図９に示すファンユニットの一部を拡大して示す図である。
【図１１】本発明の実施の形態４に係る空気調和機の室内機の構成を示す図である。
【図１２】本発明の実施の形態４に係る空気調和機のリモコンの構成を示す外観図である。
【発明を実施するための形態】
【００１２】
実施の形態１．
以下、本発明の実施の形態１に係る空気調和機の室内機を図面に基づいて説明する。
図１は、本実施の形態１に係る空気調和機の室内機の一例を示す主要部品の縦断面図である。図１に基づいて、本実施の形態１に係る室内機４０の構成について説明する。この室内機４０は、冷媒を循環させる冷凍サイクルを利用することで室内等の空調対象域に空調空気を供給するものである。また、室内機４０は、室外機と共に空気調和機を構成するものである。なお、以下の図面では各構成部材の大きさ、詳細形状が実際のものとは異なる場合がある。また、室内機４０が空調対象域の壁面に取り付けられる壁掛け型である場合を例に示している。
【００１３】
室内機４０は、主に、室内空気を内部に吸い込むための吸込口２及び空調空気を空調対象域に供給するための吹出口３が形成されているケーシング１と、このケーシング１内に収納され、吸込口２から室内空気を吸い込み、吹出口３から空調空気を吹き出すファン４と、ファン４から吹出口３までの風路に配設され、冷媒と室内空気とが熱交換することで空調空気を作り出す熱交換器５と、を有している。
【００１４】
ケーシング１は、室内機４０の骨格を形成するとともに風路の構成を目的として構成された部位の総称であり、複数の部品の組合せで構成しても一体構造でもよい。本実施の形態１では、図１に示すように、背面ケーシング１ａ、上面ケーシング１ｂ、前面ケーシング１ｃ及び側面ケーシング１ｄでケーシング１を構成し、これらによって閉じた風路を形成している。ここで、上述のように、本実施の形態１に係る室内機４０は、熱交換器５の上流側にファン４を配置している。つまり、本実施の形態１に係る室内機４０は、ファン４によって熱交換器５へ空気を押し込む構成となっている。このため、ケーシング１の密閉度が低いと、ファン４から吐き出された空気は、熱交換器５を通過せずにケーシング１の隙間から流出してしまう。このため、熱交換器５の上流側にファン４を配置している本実施の形態１に係る室内機４０においては、ファン４から吐き出された空気が熱交換器５を通過するまでの風路の密閉度を高めて、ファン４から吐き出された空気をもれなく熱交換器５に導き、効率的に熱交換する必要がある。
【００１５】
吸込口２は、ケーシング１の上部（例えば、天井面）に開口形成されている。吹出口３は、ケーシング１の下部（より詳しくは、ケーシング１の前面部下側）に開口形成されている。ファン４は、例えば軸流型又は斜流型のファンであり、吸込口２の下流側でかつ、熱交換器５の上流側に配設されている。熱交換器５は、ファン４の風下側に配置されている。この熱交換器５には、例えばフィンチューブ型やコルゲートフィン型の熱交換器等が用いられている。また、ファン４の吸込口２には、回転するファン４への接触を防止するためのフィンガーガード６、及び、室内空気に含まれる塵埃を濾し取るエアフィルター７が設けられている。さらに、吹出口３には、気流の吹出し方向を制御する機構、例えば図示省略のベーン等が設けられている。なお、室内機４０のファン駆動用モーターやベーン駆動用モーター等を制御する電気基板等は図１から省略している。
【００１６】
続いて、本実施の形態１に係る室内機４０のファン４近傍の構成について説明する。
図２は、本発明の実施の形態１に係る空気調和機の室内機のファンユニットを示す斜視図である。また、図３は、このファンユニットを示す底面図である。なお、図２は、上方からファンユニットを観察した斜視図となっている。
【００１７】
図２及び図３に示すように、本実施の形態１に係る室内機４０は、ファン４をファンユニット２０として組み立てた後、ケーシング１に取り付ける構成となっている。このファンユニット２０は、ベース板２１、複数のファン４（本実施の形態１では２つ）、ファン４を駆動するためのファン駆動用モーターであるモーター１０、及び、複数のファン４とモーター１０とを接続するベルトドライブ機構３０を備えている。
【００１８】
ベース板２１は、ケーシング１の一部を構成し、複数のファン４、モーター１０及びベルトドライブ機構３０が取り付けられるものである。ベース板２１は、背面ケーシング１ａ、前面ケーシング１ｃ及び側面ケーシング１ｄで形成されるケーシング１内の風路のうち熱交換器５の上流側に設けられている。ベース板２１は、当該風路の断面と同様の平面形状を有する略直方体状（板状）の部材である。このベース板２１にはファン４の個数に対応した２つの貫通穴が形成されており、これら２つの貫通穴のそれぞれにはベルマウス２２が取り付けられている。このベース板２１は、吸込口２の下流側において、背面ケーシング１ａ、前面ケーシング１ｃ及び側面ケーシング１ｄで形成される風路を閉塞するように、これら背面ケーシング１ａ、前面ケーシング１ｃ及び側面ケーシング１ｄに取り付けられる。この状態では、ベース板２１の上下の風路は、ベルマウス２２で連通することとなる。
【００１９】
また、平面視において（モーター１０の回転軸１７と垂直な平面において）、各ベルマウス２２の略中央部には、ファン４の回転軸１４を回転自在に支持するベアリングマウント２３が設けられている。そして、これらベアリングマウント２３のそれぞれは、例えば棒状の複数のファンサポート２４によってベルマウス２２に接続されて、固定されている。これらベアリングマウント２３及びファンサポート２４は、ファン４の下方、つまり、ファン４の下流側に配置されている。ベアリングマウント２３及びファンサポート２４は、ファン４の回転軸１４を支持する支持構造として機能する。なお、本実施の形態１では、ファンサポート２４は、ベルマウス２２の並設方向と直交する平面に対して対称に配置されている。
【００２０】
２つのファン４は、該ファン４の中心部に位置するボス９に回転軸１４を有している。そして、各ファン４は平面視においてベルマウス２２の内周面側に配置され、各ファン４の回転軸１４はベアリングマウント２３に回転自在に支持されている。また、本実施の形態１では、ファン４部分の通風面積を大きく確保するため、ファン４のボス９の外径を、モーター１０の外径よりも小さく形成している。
【００２１】
モーター１０は、平面視において各ファン４と重ならない位置に配置され、ベース板２１に固定されている。また、本実施の形態１では、隣接するファン４の間に存在する空きスペースを有効利用するため、モーター１０は、平面視において、隣接するファン４の回転軸１４同士を接続した仮想直線１４ａと重ならない位置に配置されている。また、ベース板２１のモーター１０取付位置は凹部２５となっており、モーター１０は、側面視において、モーター１０の本体の少なくとも一部がファン４の羽根高さと重なる位置に配置されている。換言すると、モーター１０は、モーター１０の回転軸１７方向におけるモーター１０とファン４との配置関係において、モーター１０の本体の少なくとも一部がファン４の羽根と重なる位置に配置されている。
【００２２】
図４は、ベルトドライブ機構３０の一部（歯付きプーリ３２近傍）を拡大して示している。図４及び既に示した図３に示すように、ベルトドライブ機構３０は、各ファン４の回転軸１４に取り付けられた歯付きプーリ３１と、モーター１０の回転軸１７に取り付けられた歯付きプーリ３２と、歯付きプーリ３１及び歯付きプーリ３２に引っ掛けられた無端状の歯付きベルト３３と、を備えている。つまり、モーター１０は、自身よりも多数のファン４とベルトドライブ機構３０により接続されている。モーター１０の駆動力は、歯付きベルト３３によってこれらのファン４に伝達される。なお、本実施の形態１では、１つのモーター１０と２つのファン４とを１本の歯付きベルト３３で接続する構成となっているが、モーター１０と各ファン４とを別々の歯付きベルト３３で接続する構成としてもよい。
【００２３】
また、本実施の形態１では、平面視においてベルトドライブ機構３０の歯付きベルト３３とファンサポート２４とが重なり合う構成となっている。さらに、本実施の形態１では、各ファン４の回転軸１４及びモーター１０の回転軸１７がベース板２１の下方（底面側）に突出しており、歯付きプーリ３１、３２はこれら回転軸１４、１７の突出部分に取り付けられる構成となっている。つまり、本実施の形態１では、ベルトドライブ機構３０の歯付きプーリ３１及び歯付きベルト３３が、ファン４、ベアリングマウント２３及びファンサポート２４の下流側に配置された構成となっている。なお、上述のように、ファンサポート２４はベルマウス２２の並設方向（つまり、ファン４の並設方向）と直交する平面に対して対称に配置されている。平面視においてこのようなファンサポート２４に歯付きベルト３３を重ね合わすため、本実施の形態１では、モーター１０の回転軸１７及び各ファン４の回転軸１４の３点を仮想直線で接続した三角形が、モーター１０の回転軸１７を頂点（底辺の対頂点）とする二等辺三角形となるように、モーター１０及び各ファン４を配置している。
【００２４】
室内機４０は、吸込口２から室内の空気を取り込むため、空気中の微粒子、ほこり、油分など（以下、微粒子、ほこり、油分などを総称して「異物」という場合がある）も同時に取り込むこととなる。これらの異物の多くはエアフィルター７によって除去され、室内機４０の内部に侵入しないが、一部の細かい異物がエアフィルター７をすり抜けて室内機４０の内部に侵入する。一方、モーター１０が回転しているとき、歯付きベルト３３と歯付きプーリ３１、３２は、互いに接触と離反（剥離）を繰り返すために帯電する。歯付きベルト３３及び歯付きプーリ３１、３２が帯電すると、歯付きベルト３３及び歯付きプーリ３１、３２に異物が付着しやすくなる。歯付きベルト３３や歯付きプーリ３１、３２に異物が付着した状態でファン４が回転すると、歯付きベルト３３が歯付きプーリ３１、３２に噛み合うとき、歯付きベルト３３又は歯付きプーリ３１、３２の歯面に付着した異物が、歯付きプーリ３１、３２によって歯付きベルト３３の歯面に押付けられて食い込む。歯付きベルト３３の歯面に食い込んだ異物は、歯付きベルト３３と歯付きプーリ３１、３２を同時に損傷させ、両者の摩耗を促進することとなる。これにより、歯付きベルト３３及び歯付きプーリ３１、３２の寿命が短縮されてしまう。
【００２５】
本実施の形態１では、ベルトドライブ機構３０（歯付きベルト３３及び歯付きプーリ３１、３２）の帯電を抑制する空気イオンを発生させる空気イオン発生器６０が、ベース板２１に設置されている。空気イオン発生器６０は、ベース板２１のうち、ベルトドライブ機構３０が設けられている底面側に取り付けられている。すなわち、空気イオン発生器６０は、各ファン４の下流側でかつ熱交換器５の上流側に配置されている。また、空気イオン発生器６０は、モーター１０の回転軸１７及び各ファン４の回転軸１４の３点を仮想直線で接続した三角形の内部に配置されている。空気イオン発生器６０の内部には針状の電極が備えられている。電極に電圧が印加されると、電極の先端ではコロナ放電が生じる。このコロナ放電により、電極の先端で空気イオンが発生する。ここで、電極に印加するための電源は５ｋＶ程度の高電圧で、かつ、断続的に印加するパルス電圧とすることにより、酸素の負電荷がオゾンに変化することを防止する。また、空気イオンは電極の先端周辺に漂い、ファン４によってファンユニット２０の全体に放射（拡散）される。その結果、歯付きベルト３３と歯付きプーリ３１、３２は、帯電しないように中和される。なお、本実施の形態１において、空気イオン発生器６０はモーター１０の回転軸１７及び各ファン４の回転軸１４の３点を仮想直線で接続した三角形の内部に設置されているが、通風面積を縮小することなく、風路においてファン４の下流側でかつ熱交換器５の上流側に設置することができればこの限りではない。
【００２６】
また、一般的に、歯付きベルト３３の材質にはゴム又はウレタンが用いられ、歯付きプーリ３１、３２の材質には金属が用いられる。本実施の形態では、ファンユニット２０のベース板２１が、歯付きベルト３３の材質よりも帯電しやすい材料で形成されており、ベース板２１の帯電電位が歯付きベルト３３の回転時に生じる帯電電位よりも常に高くなるようにしている。これにより、歯付きベルト３３の帯電を防ぐことが可能である。歯付きベルト３３の材質（ゴム、ウレタン等）よりも帯電しやすい物質としては、例えば、ビニル、シリコン、テフロン（登録商標）（ポリテトラフルオロエチレン）などがある。これらの物質による表面被膜をベース板２１に形成しても同様の効果が得られる。
【００２７】
また、歯付きベルト３３、歯付きプーリ３１、３２、ベース板２１が帯電しないように、それぞれに導電性を付与して接地（アース）してもかまわない。例えば、少なくとも歯付きベルト３３及び歯付きプーリ３１、３２が導電性を有し、かつ接地された構成にする。これにより、歯付きベルト３３及び歯付きプーリ３１、３２が帯電することを防ぐことができる。歯付きベルト３３に導電性を付与するためには、導電性粒子を歯付きベルト３３の材料に配合する、もしくは歯付きベルト３３に導電性被膜処理を施す、などの方法がある。導電性被膜処理の場合は、被膜が摩耗したときの母材の露出を避けるため、積層コーティング、もしくは厚膜にすることが望ましい。
【００２８】
歯付きベルト３３の寿命を短縮する異物としては、空気中に含まれる微粒子やほこり等以外に、例えば歯付きベルト３３と歯付きプーリ３１、３２の摺動によって発生する摩耗粒子も存在する。摩耗粒子の発生を抑制するために、歯付きプーリ３１、３２の材質を高硬度化して摩耗防止効果を付与することや、歯付きプーリ３１、３２の材質に対して耐摩耗性を向上可能な表面処理を施すことが望ましい。歯付きプーリ３１、３２の材質に対する表面処理としては、アルミニウムを母材とする歯付きプーリ３１、３２の場合（例えば、歯付きプーリ３１、３２の材質がアルミニウムを母材とした合金鋳物である場合）、陽極酸化被膜としてアルマイト処理、硬質アルマイト処理などがあり、めっき処理として無電解ニッケルめっきなどがある。アルマイト処理の上に、フッ素コーティング、二硫化モリブデンコーティングなどを施してもかまわない。鉄を母材とする歯付きプーリ３１、３２の場合（例えば、歯付きプーリ３１、３２の材質が鉄を母材とした合金鋳物である場合）、めっき処理として無電解ニッケルめっき、クロムめっき、フラッシュ、硬質クロムめっき、クロメート処理などがあり、化成処理としてリン酸マンガン被膜、リン酸亜鉛被膜などがあり、熱処理として塩浴軟窒化、ガス軟窒化、焼入れなどがある。いずれにおいても歯付きプーリ３１、３２の表面の摩耗防止効果及び摩耗粒子発生防止効果を得ることができる。
【００２９】
以上、本実施の形態１のように構成された室内機４０においては、ベルトドライブ機構３０によって、１つのモーター１０が当該モーター１０よりも多数のファン４と接続されている。そして、ファン４のボス９はモーター１０の本体の外径よりも小さくなっており、平面視において、モーター１０はファン４と重ならない位置に配置されている。このため、本実施の形態１に係る室内機４０は、モーター１０の本体の外径が大きくなる場合でも、ファン４部分の通風面積（およそ、ファン４のボス９とファン４の外径（≒ベルマウス２２の内径）とで挟まれたドーナツ状の円環領域の面積）を従来よりも大きく確保することができる。したがって、本実施の形態１に係る室内機４０は、同一風量時の空力騒音を低減するとともに通風速度（動圧損失）を低下させ、消費電力を削減できる。
【００３０】
さらに、本実施の形態１に係る室内機４０においては、モーター１０は、側面視において、モーター１０の本体の少なくとも一部がファン４の羽根高さと重なる位置に配置されている。換言すると、モーター１０は、モーター１０の回転軸１７方向におけるモーター１０とファン４との配置関係において、モーター１０の本体の少なくとも一部がファン４の羽根と重なる位置に配置されている。このため、本実施の形態１に係る室内機４０は、縦方向の寸法（モーター１０の回転軸１７方向の寸法）をコンパクト化することもできる。
【００３１】
また、本実施の形態１に係る室内機４０においては、平面視において、隣接するファン４の回転軸１４同士を接続した仮想直線１４ａと重ならない位置にモーター１０が配置されている。このため、本実施の形態１に係る室内機４０は、隣接するファン４の間に存在する空きスペースを有効利用できるので、ファン４とモーター１０の実装性を高めることができ、室内機４０のファン４並設方向の幅（例えば左右方向の幅）をコンパクト化することもできる。
【００３２】
また、本実施の形態１に係る室内機４０においては、歯付きベルト３３とファンサポート２４とは、平面視において、互いに重なり合う構成となっている。このため、本実施の形態１に係る室内機４０は、通風抵抗を減じることができ、ファン４の性能（同一風量時の静圧上昇、効率、騒音）の低下を抑制することができる。
【００３３】
さらに、本実施の形態１では、歯付きベルト３３がファンサポート２４の下流側に配置されている。このため、本実施の形態１に係る室内機４０は、ファン４の生成した気流が歯付きベルト３３に直接吹きかかることがないため、エアフィルター７で除去しきれない埃、油及び化学物質に暴露されることによる歯付きベルト３３の材料劣化及び運転不具合等を防止することができる。
【００３４】
また、本実施の形態１に係る室内機４０では、モーター１０の回転軸１７及び各ファン４の回転軸１４の３点を仮想直線で接続した三角形が、モーター１０の回転軸１７を頂点とする二等辺三角形となるように、モーター１０及び各ファン４を配置している。このため、本実施の形態１に係る室内機４０は、歯付きベルト３３とファンサポート２４とを平面視において互いに重なり合うように配置する際、ファン４の並設方向と直交する平面に対して対称にファンサポート２４が配置されたベルマウス２２を用いることができる。したがって、本実施の形態１に係る室内機４０は、ベルマウス２２の共通化を図ることができる。
【００３５】
また、本実施の形態１に係る室内機４０においては、ベルトドライブ機構３０として、歯付きベルト３３と歯付きプーリ３１、３２とを用いている。歯付きベルト３３は、Ｖベルトや平ベルトなどの摩擦伝動ベルトと異なり伝動効率が高いため、ベルトを用いない従来のモーター直結方式と同等の性能を確保することができる。例えば、特許文献２に記載された冷凍機の熱交換ユニットでは、駆動系に用いられるベルトとして、駆動プーリのＶ溝及び従動プーリのＶ溝に架設される摩擦伝動ベルトが用いられている。このようなベルトが用いられる場合、ベルトとプーリが常に微小にスリップしながら回転するため、動力伝達効率が低いという問題点があった。これに対し、本実施の形態１では、歯付きベルト３３及び歯付きプーリ３１、３２が用いられているため、噛み合い伝動による動力伝達が可能となる。噛み合い伝動では、屈曲による内部発熱と噛み合いによる摺動とによって駆動損失が生じるが、駆動損失は微小であるため、Ｖベルト等の摩擦伝動ベルトを用いるよりも動力伝達効率を高めることができる。さらに、歯付きベルト３３及び歯付きプーリ３１、３２を用いることによってモーターの回転数と複数のファンの回転数とを完全に一致させることができるため、干渉音の発生を防ぐこともできる。
【００３６】
また、本実施の形態１に係る室内機４０においては、ファン４の下流側で熱交換器５の上流側であり、かつ平面視においてファン４と重ならない位置に、ベルトドライブ機構３０の帯電を抑制する空気イオンを発生させる空気イオン発生器６０が設置されている。これにより、歯付きベルト３３及び歯付きプーリ３１、３２は帯電しないように中和されるため、歯付きベルト３３及び歯付きプーリ３１、３２に異物が付着しにくくなり、歯付きベルト３３及び歯付きプーリ３１、３２の摩耗を抑制することができる。また、歯付きプーリ３１、３２の材質を高硬度化することによって、摩耗防止効果を付与することができるとともに、摩耗粒子の発生を防止することができる。
【００３７】
また、本実施の形態１に係る室内機４０においては、ファンユニット２０のベース板２１の少なくとも表面が歯付きベルト３３の材質よりも帯電しやすい材料で形成されており、ベース板２１の帯電電位が歯付きベルト３３の回転時に生じる帯電電位よりも常に高くなるようにしている。例えば、歯付きベルト３３はゴム又はウレタンで形成されており、ベース板２１の少なくとも表面は、ゴム及びウレタンよりも帯電しやすいビニル、シリコン又はテフロン（登録商標）で形成されている。これにより、歯付きベルト３３の帯電を防ぐことができるため、歯付きベルト３３に異物が付着しにくくなり、歯付きベルト３３及び歯付きプーリ３１、３２の摩耗を抑制することができる。
【００３８】
また、本実施の形態１に係る室内機４０においては、歯付きベルト３３及び歯付きプーリ３１、３２が導電性を有し、かつ接地されている。これにより、歯付きベルト３３及び歯付きプーリ３１、３２の帯電を防ぐことができるため、歯付きベルト３３及び歯付きプーリ３１、３２に異物が付着しにくくなり、歯付きベルト３３及び歯付きプーリ３１、３２の摩耗を抑制することができる。
【００３９】
なお、本実施の形態１では、ベルトドライブ機構３０によって１つのモーター１０に２つのファン４を接続する場合を示したが、ベルトドライブ機構３０によって１つのモーター１０に３つ以上のファン４を接続しても上記と同様の効果が得られる。また、本実施の形態１では、モーター１０を１つのみ備えた室内機４０について説明したが、室内機４０に複数のモーター１０を備えていても勿論よい。この場合、各モーター１０毎に、ベルトドライブ機構３０によって複数のファン４を接続すれば、上記と同様の効果が得られる。また、本実施の形態１ではケーシング１の上部から空気を吸い込み下部から吹き出す室内機４０を説明したが、ケーシング１に形成される吸込口２及び吹出口３の位置は、任意である。例えば、ケーシングの下部から空気を吸い込み上部から吹き出す室内機においても、上記と同様の効果を得ることができる。
【００４０】
実施の形態２．
本発明の実施の形態２に係る空気調和機について説明する。図５は、本実施の形態に係る空気調和機の室内機４０のファンユニット２０を示す底面図である。図６は、図５に示すファンユニット２０の一部（ベルト清掃機構６１近傍）を拡大して示す図である。なお、実施の形態１と同一の機能及び作用を有する構成要素については、同一の符号を付してその説明を省略する。
【００４１】
図５及び図６に示すように、本実施の形態のファンユニット２０には、歯付きベルト３３を清掃するベルト清掃機構６１が設けられている。ベルト清掃機構６１は、異物取りブラシ７１を有している。ベルト清掃機構６１は、モーター１０の回転軸１７及び各ファン４の回転軸１４の３点を仮想直線で接続した三角形の内側から、異物取りブラシ７１を歯付きベルト３３に押し当てることが可能な構造を有する。すなわち、異物取りブラシ７１は、歯付きベルト３３における歯付きプーリ３２との接触面（内周面）側に押し付けられる。異物取りブラシ７１は、平面視で歯付きベルト３３の内側に設けられており、支持軸７３を中心として回転自在に取り付けられている。異物取りブラシ７１は、不図示の駆動機構により駆動されるようになっており、歯付きベルト３３に接触する第１の位置（図６（ａ）参照）と、歯付きベルト３３から離れた第２の位置（図６（ｂ）参照）と、を少なくともとり得る。ここで、歯付きベルト３３の走行方向は、図６（ａ）、（ｂ）中において右下から左上に向かう方向である。
【００４２】
ベルト清掃を行うときには、図６（ａ）に示すように、異物取りブラシ７１が支持軸７３を中心として時計回り方向に第１の位置まで駆動される。これにより、異物取りブラシ７１は、歯付きベルト３３に押し付けられ、歯付きベルト３３に付着している異物を除去する。異物取りブラシ７１の下部にはダストボックス７５が備え付けられており、異物取りブラシ７１で除去された異物はダストボックス７５内に捕捉される。
【００４３】
ベルト清掃を終了するときには、図６（ｂ）に示すように、異物取りブラシ７１が支持軸７３を中心として反時計回り方向に第２の位置まで駆動される。これにより、異物取りブラシ７１は、歯付きベルト３３から離れる。
【００４４】
図７は、ファンユニット２０の変形例を示す底面図である。図８は、図７に示すファンユニット２０の一部（ベルト清掃機構６１近傍）を拡大して示す図である。本変形例のベルト清掃機構６１は、異物取りプーリ７０を有している。ベルト清掃機構６１は、モーター１０の回転軸１７及び各ファン４の回転軸１４の３点を仮想直線で接続した三角形の内側から、異物取りプーリ７０を歯付きベルト３３に押し当てることが可能な構造を有する。すなわち、異物取りプーリ７０は、歯付きベルト３３における歯付きプーリ３２との接触面側に押し付けられる。異物取りプーリ７０の外周面上には、歯付きベルト３３に付着した異物を除去する異物取りブラシ７１が例えば全周に亘って設けられている。異物取りプーリ７０は、平面視で歯付きベルト３３の内側に設けられており、回転軸７０ａを中心として回転自在となるように支持棒７２に支持されている。また支持棒７２は、支持軸７３に対して回転自在に取り付けられている。異物取りプーリ７０は、支持棒７２を介して不図示の駆動機構により駆動されるようになっており、歯付きベルト３３に接触する第１の位置（図８（ａ）参照）と、歯付きベルト３３から離れた第２の位置（図８（ｂ）参照）と、を少なくともとり得る。また、ベルト清掃機構６１は、異物取りブラシ７１に接触し、異物取りブラシ７１によって絡め取られた異物を異物取りブラシ７１から除去する別のブラシ７４と、ブラシ７４によって除去された異物を捕捉するダストボックス７５と、を有している。ブラシ７４及びダストボックス７５は、支持棒７２に対して固定して設けられている。ここで、歯付きベルト３３の走行方向は、図８（ａ）、（ｂ）中において右下から左上に向かう方向である。
【００４５】
ベルト清掃を行うときには、図８（ａ）に示すように、異物取りプーリ７０が支持軸７３を中心として反時計回り方向に第１の位置まで駆動される。これにより、異物取りプーリ７０は、歯付きベルト３３に押し付けられ、歯付きベルト３３の駆動力により連れ回りし、歯付きベルト３３に付着している異物を異物取りブラシ７１が絡め取る。異物取りブラシ７１によって絡め取られた異物は、ブラシ７４によって異物取りブラシ７１から剥がされてダストボックス７５に捕捉される。
【００４６】
ベルト清掃を終了するときには、図８（ｂ）に示すように、異物取りプーリ７０が支持軸７３を中心として時計回り方向に第２の位置まで駆動される。これにより、異物取りプーリ７０は、歯付きベルト３３から離れる。
【００４７】
なお、図５〜図８に示す構成においてベルト清掃を行うのは、室内機４０の霜取り運転時、暖房運転開始直後の回転数が１２００ｒｐｍ以上であるとき、又はエアフィルター清掃時、のいずれかであることが望ましい。その理由は、室内機４０の霜取り運転時、暖房運転開始直後の回転数が１２００ｒｐｍ以上であるとき、及びエアフィルター７の清掃時は、室内機４０の運転音が通常の運転時よりも大きく、ベルト清掃時の歯付きベルト３３と異物取りブラシ７１との接触音が目立たないためである。また、室内機４０の霜取り運転時、暖房運転開始直後の回転数が１２００ｒｐｍ以上であるときはどちらも、室内機４０の内部温度が上昇し、歯付きベルト３３が軟化する。歯付きベルト３３と異物取りブラシ７１との接触音は歯付きベルト３３が軟らかいほど低減するため、接触音を低減させる効果も得られる。
【００４８】
また、本実施の形態２では２つのファン４を備えたファンユニット２０について説明したが、１つ以上のファンを備え、かつベルトドライブ機構３０を有する空気調和機の室内機であれば、本実施の形態２を適用することにより同様の効果が得られる。
【００４９】
また、ベルト清掃機構６１は通風面積を縮小しない位置に設置することが望ましい。
【００５０】
以上のように、本実施の形態２の室内機４０では、歯付きベルト３３を清掃するベルト清掃機構６１が設けられている。例えば、ベルト清掃機構６１は、歯付きベルト３３の歯付きプーリ３２との接触面側に付着した異物を除去する異物取りブラシ７１と、除去された異物を捕捉するダストボックス７５と、を有する。異物取りブラシ７１は、歯付きベルト３３に接触する第１の位置と、歯付きベルト３３から離れた第２の位置と、を少なくともとり得る。また例えば、ベルト清掃機構６１は、歯付きベルト３３に付着した異物を絡め取る異物取りブラシ７１が外周面上に設けられた異物取りプーリ７０と、異物取りブラシ７１に接触し、異物取りブラシ７１で絡め取られた異物を異物取りブラシ７１から除去する別のブラシ７４と、除去された異物を捕捉するダストボックス７５と、を有する。異物取りプーリ７０は、歯付きベルト３３に接触する第１の位置と、歯付きベルト３３から離れた第２の位置と、を少なくともとり得る。
【００５１】
これにより、歯付きベルト３３の歯付きプーリ３２との接触面側に付着した異物をベルト清掃機構６１により除去することができるため、歯付きベルト３３及び歯付きプーリ３２の摩耗を抑制できるとともに空気調和機の長寿命化を実現できる。
【００５２】
実施の形態３．
本発明の実施の形態３に係る空気調和機について説明する。図９は、本実施の形態に係る空気調和機の室内機４０のファンユニット２０を示す底面図である。図１０は、図９に示すファンユニット２０の一部（静電容量センサ８０近傍）を拡大して示す図である。なお、実施の形態１と同一の機能及び作用を有する構成要素については、同一の符号を付してその説明を省略する。
【００５３】
図９及び図１０に示すように、本実施の形態のファンユニット２０には、静電容量センサ８０が設けられている。静電容量センサ８０は、モーター１０の回転軸１７及び各ファン４の回転軸１４の３点を仮想直線で接続した三角形の内側から、歯付きベルト３３に向けて設置されている。静電容量センサ８０の軸線上には、歯付きベルト３３を静電容量センサ８０との間に挟んで補助電極８１が設けられている。静電容量センサ８０と補助電極８１との間の静電容量Ｃは式（１）で表される。ここで、ａは静電容量センサ８０から歯付きベルト３３表面までの距離、ｂは補助電極８１から歯付きベルト３３表面までの距離、ｃは歯付きベルト３３の厚み、Ｓは静電容量センサ８０の表面積、ε０は真空の誘電率、εａｉｒは空気の比誘電率、εＳは歯付きベルト３３の比誘電率である。
【００５４】
【数１】
2015014432.tif 000003
【００５５】
歯付きベルト３３が摩耗すると、厚みｃが減少し距離ａ＋ｂが増加する（ａ＋ｂ＋ｃは一定）。したがって、静電容量Ｃの変化に基づいて歯付きベルト３３の厚みｃを読み取ることができ、これにより歯付きベルト３３の摩耗を推定することが可能である。なお、本実施の形態３では、静電容量センサ８０が歯付きベルト３３の歯付きプーリ３２と接触する面側（平面視で歯付きベルト３３の内側）に設置されており、補助電極８１が歯付きベルト３３の歯付きプーリ３２が接触しない面側（平面視で歯付きベルト３３の外側）に取り付けられているが、これとは反対に、歯付きベルト３３の歯付きプーリ３２と接触しない面側に静電容量センサ８０が取り付けられていてもよい。
【００５６】
以上のように、本実施の形態３の室内機４０では、歯付きベルト３３に向けて設置された静電容量センサ８０と、歯付きベルト３３を静電容量センサ８０との間に挟んで設置された補助電極８１と、が設けられている。これにより、歯付きベルト３３の摩耗を推定し、歯付きベルト３３の寿命を判断することが可能となる。
【００５７】
静電容量センサ８０及び補助電極８１の代わりに、超音波厚さ計などで歯付きベルト３３の厚みを測定しても良い。また、静電容量センサ８０及び補助電極８１の代わりに、歯付きベルト３３を挟むように歯付きベルト３３に垂直に、２つの変位センサを配しても良い。定位置に取り付けられた２つの変位センサから歯付きベルト３３までの距離を測定することで、歯付きベルト３３の厚みや歯付きベルト３３の振幅を算出することができる。変位センサから得られる信号を例えば高速フーリエ変換（ＦＦＴ）にて処理し、歯飛びに対応する周期的振動を検知して歯付きベルト３３の寿命を判断することが可能となる。
【００５８】
実施の形態４．
本発明の実施の形態４に係る空気調和機について説明する。本実施の形態は、歯付きベルト３３の走行距離に関する情報（例えば、歯付きベルト３３の走行距離、歯付きベルト３３の交換時期等）をユーザーに報知するための情報報知手段を備えることを特徴とするものである。図１１（ａ）は、本実施の形態に係る空気調和機の室内機４０の構成を示す外観図である。図１１（ｂ）は、図１１（ａ）に示す室内機４０の一部（表示部８２ａ近傍）を拡大して示す図である。なお、実施の形態１と同一の機能及び作用を有する構成要素については、同一の符号を付してその説明を省略する。
【００５９】
図１１に示すように、室内機４０は、表示部８２ａ（ユーザーインターフェイス部）を前面に備えている。表示部８２ａは、情報報知手段の一部として、告知ランプ８３（ガイダンス可能表示）等を有する。告知ランプ８３は、ユーザーが分からない（気付かない）情報（例えば、歯付きベルト３３の交換時期の情報）がある場合に点灯する。告知ランプ８３は、情報の存在をユーザーに告知するとともに、後述するリモコン８４のお知らせボタン８５の操作をユーザーに促すようになっている。
【００６０】
図１２は、本実施の形態に係る空気調和機のリモコン８４（遠隔制御装置）の構成を示す外観図である。リモコン８４は、空気調和機を遠隔操作するためにユーザーの手元に置かれるものである。リモコン８４は、通常の運転操作（入／切）、温度設定操作等を行うためのボタンの他に、情報報知手段の一部として、お知らせボタン８５（情報要求ボタン）と、文字情報を表示可能なガイダンス表示部８６を備えている。室内機４０とリモコン８４との間の情報の受け渡しは、双方向の赤外通信により行ってもよいし、無線通信により行ってもよい。
【００６１】
ユーザーは、室内機４０の表示部８２ａにおける告知ランプ８３の点灯に気付き、リモコン８４に設けられたお知らせボタン８５を押すことによって、ガイダンス表示部８６に詳細な情報（例えば、「ベルトの交換時期です」という文字情報）を表示させることができる。これにより、ユーザーが分からない歯付きベルト３３の交換時期の情報をユーザーに報知することができるため、故障前に部品交換が可能となり、周辺部品の保護及び空気調和機の長寿命化を実現することができる。
【００６２】
情報報知手段として音声を出力する音声出力機能をリモコン８４又は室内機４０に持たせ、詳細な情報を音声によりユーザーに報知するようにしてもよい。これにより、ユーザーがリモコン８４のガイダンス表示部８６の表示に気が付かない場合でも、詳細な情報を音声により報知することにより、情報を確実にユーザーに伝えることができる。音声による情報の報知は、ガイダンス表示部８６での情報表示と共に行ってもよいし、ガイダンス表示部８６での情報表示に代えて行ってもよい。
【００６３】
以下、室内機４０側の告知ランプ８３の点灯条件について述べる。
室内機４０は、歯付きベルト３３の走行距離を算出できるセンサ（走行距離算出手段の一例）を備えている。室内機４０の制御部は、当該センサからの情報に基づき、歯付きベルト３３の走行距離（例えば、歯付きベルト３３が前回交換されてからの累積の走行距離）の情報を取得する。歯付きベルト３３の走行距離が予め設定された寿命走行距離に到達した場合、歯付きベルト３３の交換時期であると判定し、告知ランプ８３を点灯する。
【００６４】
次に、告知ランプ８３の消灯条件について述べる。告知ランプ８３の消灯条件は例えば下記の２つである。
（１）リモコン８４のお知らせボタン８５がユーザーにより押され、室内機４０からリモコン８４への情報の送信が完了した場合。
（２）告知ランプ８３が点灯してからある所定の時間が経過した場合。
【００６５】
以下、リモコン８４のお知らせボタン８５が押されたときのガイダンス表示部８６の表示内容の例について説明する。ガイダンス表示部８６においては、歯付きベルト３３の交換時期の情報のほか、空気調和機の運転モード又は運転状況についての情報を表示することが可能となっている。例えば、空気調和機の室内機４０が告知ランプ８３を点灯している状況でお知らせボタン８５が押された場合、ガイダンス表示部８６は、その時点における歯付きベルト３３の走行距離の情報、又は歯付きベルト３３の交換時期の情報を表示する。室内機４０が告知ランプ８３を点灯していない状況でお知らせボタン８５が押された場合、ガイダンス表示部８６は、その時点における歯付きベルト３３の走行距離の情報を表示する。
【００６６】
以上のように、本実施の形態４の室内機４０では、歯付きベルト３３の走行距離を算出する走行距離算出手段と、歯付きベルト３３の走行距離に関する情報をユーザーに報知する情報報知手段（本例では、告知ランプ８３、ガイダンス表示部８６、音声出力機能等）と、が設けられている。これにより、歯付きベルト３３の交換時期等の情報をユーザーに報知することができるため、故障前に部品交換が可能となり、周辺部品の保護及び空気調和機の長寿命化を実現することができる。
【００６７】
その他の実施の形態．
本発明は、上記実施の形態に限らず種々の変形が可能である。
例えば、上記実施の形態では、歯付きベルト３３が用いられたベルトドライブ機構３０を例に挙げたが、ベルトドライブ機構３０にはＶベルトや平ベルト等の摩擦伝動ベルトを用いてもよい。
【００６８】
また、上記の各実施の形態や変形例は、互いに組み合わせて実施することが可能である。例えば、実施の形態１と実施の形態２とを組み合わせて実施すれば、帯電の抑制によって歯付きベルト３３及び歯付きプーリ３１、３２に異物が付着しにくくできることに加えて、歯付きベルト３３に異物が付着してしまった場合であってもベルト清掃機構６１により当該異物を除去できる。このため、歯付きベルト３３及び歯付きプーリ３１、３２の摩耗をより確実に抑制することができる。
【符号の説明】
【００６９】
１  ケーシング、１ａ  背面ケーシング、１ｂ  上面ケーシング、１ｃ  前面ケーシング、１ｄ  側面ケーシング、２  吸込口、３  吹出口、４  ファン、５  熱交換器、６  フィンガーガード、７  エアフィルター、９  ボス、１０  モーター、１４  回転軸（ファン）、１４ａ  仮想直線、１７  回転軸（モーター）、２０  ファンユニット、２１  ベース板、２２  ベルマウス、２３  ベアリングマウント、２４  ファンサポート、２５  凹部、３０  ベルトドライブ機構、３１  歯付きプーリ、３２  歯付きプーリ、３３  歯付きベルト、４０  室内機、６０  空気イオン発生器、６１  ベルト清掃機構、７０  異物取りプーリ、７０ａ  回転軸、７１  異物取りブラシ、７２  支持棒、７３  支持軸、７４  ブラシ、７５  ダストボックス、８０  静電容量センサ、８１  補助電極、８２ａ  表示部、８３  告知ランプ、８４  リモコン、８５  お知らせボタン、８６  ガイダンス表示部。
【図１】
2015014432.tif 000004
【図２】
2015014432.tif 000005
【図３】
2015014432.tif 000006
【図４】
2015014432.tif 000007
【図５】
2015014432.tif 000008
【図６】
2015014432.tif 000009
【図７】
2015014432.tif 000010
【図８】
2015014432.tif 000011
【図９】
2015014432.tif 000012
【図１０】
2015014432.tif 000013
【図１１】
2015014432.tif 000014
【図１２】
2015014432.tif 000015